(57)【要約】【課題】カメラのアングルを変化させてもバウンス照明状態を維持する。【解決手段】被写体を照明する照明光を発光する発光部４と、前記発光部を上下方向及び左右方向に回動可能に支持する本体部６とを備える照明装置２において、該照明装置が取付けられるカメラの鉛直方向及び水平方向の少なくとも一方のカメラ傾斜角度を前記カメラから取得する取得部１９と、前記発光部の前記本体部に対する照明傾斜角度の設定を指示する設定指示部１６と、前記照明傾斜角度の設定時に前記取得部により前記カメラから取得された前記カメラ傾斜角度を基準カメラ傾斜角度として記憶する記憶部と、前記基準カメラ傾斜角度と、前記取得部により取得した前記カメラ傾斜角度との差分を算出する算出部と、前記算出部によって算出された前記差分に基づいて、前記照明傾斜角度の設定時における前記発光部の照明方向を照明するように前記発光部を前記本体部に対して上下方向及び左右方向に回動させる駆動制御部とを備える。【選択図】図１
2015194576.tif 000002
【特許請求の範囲】
【請求項１】
被写体を照明する照明光を発光する発光部と、前記発光部を上下方向及び左右方向に回動可能に支持する本体部と
を備える照明装置において、
該照明装置が取付けられるカメラの鉛直方向及び水平方向の少なくとも一方のカメラ傾斜角度を前記カメラから取得する取得部と、
前記発光部の前記本体部に対する照明傾斜角度の設定を指示する設定指示部と、
前記照明傾斜角度の設定時に前記取得部により前記カメラから取得された前記カメラ傾斜角度を基準カメラ傾斜角度として記憶する記憶部と、
前記基準カメラ傾斜角度と、前記取得部により取得した前記カメラ傾斜角度との差分を算出する算出部と、
前記算出部によって算出された前記差分に基づいて、前記照明傾斜角度の設定時における前記発光部の照明方向を照明するように前記発光部を前記本体部に対して上下方向及び左右方向に回動させる駆動制御部と
を備えることを特徴とする照明装置。
【請求項２】
前記取得部は、前記被写体から前記カメラまでの距離に関する情報を前記カメラから取得し、
前記駆動制御部は、前記カメラから取得した前記距離に関する情報に基づいて、前記発光部を回動させることを特徴とする請求項１記載の照明装置。
【発明の詳細な説明】
【技術分野】
【０００１】
本発明は、バウンス撮影に用いることが可能な照明装置に関するものである。
【背景技術】
【０００２】
従来、カメラから被写体までの距離に基づいて適切なバウンス角度を算出し、ストロボ装置の照射角度を変更するバウンスストロボ装置が知られている（例えば、特許文献１参照）。このバウンスストロボ装置においては、適切なバウンス角度で照明を行いながらバウンス撮影を行うことができる。
【先行技術文献】
【特許文献】
【０００３】
【特許文献１】特開平１−３０４４４０号公報
【発明の概要】
【発明が解決しようとする課題】
【０００４】
しかしながら、上述のバウンスストロボ装置においては、上下方向のバウンス角度しか算出されないため、カメラのアングルを様々な方向に変えながら撮影を行う場合には、アングルを変化させる前と同様なバウンス照明状態を維持することができるができなくなるという問題があった。
【０００５】
本発明の目的は、カメラのアングルを変化させてもバウンス照明状態を維持することができる照明装置を提供することである。
【課題を解決するための手段】
【０００６】
本発明の照明装置は、被写体を照明する照明光を発光する発光部と、前記発光部を上下方向及び左右方向に回動可能に支持する本体部とを備える照明装置において、該照明装置が取付けられるカメラの鉛直方向及び水平方向の少なくとも一方のカメラ傾斜角度を前記カメラから取得する取得部と、前記発光部の前記本体部に対する照明傾斜角度の設定を指示する設定指示部と、前記照明傾斜角度の設定時に前記取得部により前記カメラから取得された前記カメラ傾斜角度を基準カメラ傾斜角度として記憶する記憶部と、前記基準カメラ傾斜角度と、前記取得部により取得した前記カメラ傾斜角度との差分を算出する算出部と、前記算出部によって算出された前記差分に基づいて、前記照明傾斜角度の設定時における前記発光部の照明方向を照明するように前記発光部を前記本体部に対して上下方向及び左右方向に回動させる駆動制御部とを備えることを特徴とする。
【発明の効果】
【０００７】
本発明の照明装置によれば、カメラのアングルを変化させてもバウンス照明状態を維持することができる。
【図面の簡単な説明】
【０００８】
【図１】実施の形態に係る照明装置の内部機構を側面から視た図である。
【図２】実施の形態に係る照明装置の発光部の内部機構を上方から視た図である。
【図３】実施の形態に係る照明装置及びカメラのシステム構成を示すブロック図である。
【図４】実施の形態に係る照明装置を用いたバウンス撮影処理を示すフローチャートである。
【図５】実施の形態に係る照明装置のバウンス撮影時の状態を示す図である。
【図６】実施の形態に係る照明装置及びカメラの上下方向の傾斜角度を示す図である。
【図７】実施の形態に係る照明装置及びカメラの左右方向の傾斜角度を示す図である。
【図８】実施の形態に係る照明装置が取付けられたカメラを光軸廻りに回動させた状態を示す図である。
【発明を実施するための形態】
【０００９】
以下、図面を参照して実施の形態に係る照明装置について説明する。図１は、実施の形態に係る照明装置２の内部機構を側面から視た図であり、図２は、これを上方から視た図である。照明装置２は、発光部４と本体部６とを備えており、発光部４は本体部６に対して上下方向、及び左右方向に回動可能に支持されている。
【００１０】
本体部６の内部には、発光部４を本体部６に対して上下方向に回動させる上下回動機構８、上下回動機構８を駆動する上下駆動部１０（図３参照）、発光部４を本体部６に対して左右方向に回動させる左右回動機構１２、及び左右回動機構１２を駆動する左右駆動部１４（図３参照）が設けられている。
【００１１】
また、本体部６の背面には、操作者が設定した発光部４の本体部６に対する上下方向、及び左右方向の傾斜角度（以下、照明傾斜角度という。）を記憶部３０（図３参照）に記憶させる設定ボタン１６が設けられ、本体部６の下面には、カメラ４０（図８参照）のホットシュー６６（図８参照）に取付けられる取付け脚１８が設けられている。また、取付け脚１８には、照明装置２をカメラ４０に取付けた状態でカメラ４０との間の通信を行う通信端子１９が設けられている。
【００１２】
また、発光部４の内部には、発光素子であるキセノン管２０、キセノン管２０から発光された照明光を集光させるフレネルパネル２２が設けられている。被写体は、フレネルパネル２２において集光された照明光によって照明される。
【００１３】
図３は、実施の形態に係る照明装置２、及びカメラ４０のシステム構成を示すブロック図である。照明装置２は、照明装置２の各部を統括的に制御するＣＰＵ２４を備え、ＣＰＵ２４は、キセノン管２０の発光量を調整する発光回路２６、上下駆動部１０、左右駆動部１４、設定ボタン１６等を含む操作部２８、設定ボタン１６の操作時における照明傾斜角度、及びカメラ４０の筐体の傾斜角度（以下、カメラ傾斜角度という。）を記憶する記憶部３０、照明傾斜角度を計測する計測部３２、及びカメラ４０との通信を行う通信端子１９を備えている。
【００１４】
カメラ４０は、カメラ４０の各部を統括的に制御するＣＰＵ４４を備え、ＣＰＵ４４は、電源スイッチ６２（図８参照）やシャッタボタン６４（図８参照）等を含む操作部４６、被写体光を撮像して撮像信号を生成する撮像素子４８、撮像素子４８からの撮像信号に基づく画像を表示するＬＣＤ表示部５０、カメラ傾斜角度を計測する加速度センサ５２、撮像素子４８からの撮像信号に基づく画像データを記憶するメモリカード５４、及び照明装置２との通信を行う通信端末５６を備えている。
【００１５】
次に、図４に示すフローチャートを参照して、実施の形態に係る照明装置２を用いたバウンス撮影処理について説明する。まず、照明装置２が取付け脚１８を介してカメラ４０のホットシュー６６に装着され、照明装置２の電源がオンにされると、ＣＰＵ２４は、計測部３２により、発光部４の本体部６に対する上下方向、及び左右方向の傾斜角度を計測する処理を開始する（ステップＳ１）。
【００１６】
次に、ＣＰＵ２４は、通信端末１９を介してカメラ４０との間の通信を行い、加速度センサ５２により計測されたカメラ傾斜角度をカメラ４０から取得する処理を開始する（ステップＳ２）。
【００１７】
次に、操作者により発光部４が所定の照明方向に回動され、設定ボタン１６が操作される。ここで、所定の照明方向は、図５に示すように、天井で反射した間接光により適切な明るさで被写体６０を照明できる照明方向である。なお、照明装置２が取付けられたカメラ４０は、三脚等に固定されておらず、操作者によって保持されている。
【００１８】
設定ボタン１６が操作されると、ＣＰＵ２４は、設定ボタン１６の操作時に計測部３２により計測された照明傾斜角度を、基準となる照明傾斜角度（以下、基準照明傾斜角度）として記憶部３０に記憶する（ステップＳ３）。
【００１９】
同様に、ＣＰＵ２４は、設定ボタン１６の操作時にカメラ４０から取得されたカメラ傾斜角度を、基準となるカメラ傾斜角度（以下、基準カメラ傾斜角度）として記憶部３０に記憶する（ステップＳ４）。
【００２０】
次に、操作者がカメラ４０のアングルを変化させると、ＣＰＵ２４は、記憶部３０から上下方向の基準カメラ傾斜角度、及び左右方向の基準カメラ傾斜角度を読み出し、上下方向の基準カメラ傾斜角度とカメラ４０から取得した上下方向のカメラ傾斜角度との差分（以下、上下方向差分という。）、及び左右方向の基準カメラ傾斜角度とカメラ４０から取得した左右方向のカメラ傾斜角度との差分（以下、左右方向差分という。）を算出する（ステップＳ５）。
【００２１】
例えば、図６（ａ）に示すように、上下方向の基準照明傾斜角度がθ１°に設定されている場合において、図６（ｂ）に示すように、カメラ４０が上方向にψ１°傾斜したとする。この場合、ＣＰＵ２４は、θ１°−ψ１°を上下方向差分として算出する。
【００２２】
同様に、図７（ａ）に示すように、左右方向の基準照明傾斜角度がθ２°に設定されている場合において、図７（ｂ）に示すように、カメラ４０が右方向にψ２°傾斜したとする。この場合、ＣＰＵ２４は、θ２°−ψ２°を左右方向差分として算出する。
【００２３】
次に、ＣＰＵ２４は、上下方向差分、及び左右方向差分に基づいて、上下方向の照明傾斜角度、及び左右方向の照明傾斜角度の調整を行う（ステップＳ６）。例えば、ＣＰＵ２４は、上下駆動部１０により、発光部４を下方向にψ１°（図６（ｂ）参照）回動させ、上下方向の照明傾斜角度を（θ１−ψ１）°に変更する。同様に、左右駆動部１４により、発光部４を左方向にψ２°（図７（ｂ）参照）回動させ、左右方向の照明傾斜角度を（θ２−ψ２）°に変更する。
【００２４】
次に、シャッタボタン６４が押下されると、ＣＰＵ２４は、発光回路２６によりキセノン管２０を発光させ、図５に示すように、設定ボタン１６の操作時と同じ照明方向に向けて照明光を照射させる。照明光は一旦天井で反射し、天井で反射した間接光によって被写体６０が照明される。
【００２５】
カメラ４０は、間接光によって被写体６０が照明された状態において被写体６０を撮影する（ステップＳ７）。
【００２６】
本実施の形態に係る照明装置２によれば、操作者が基準照明傾斜角度を設定した後、カメラ傾斜角度が変化した場合に、傾斜角度の変化を打ち消す方向に発光部４の向きを回動させることにより、カメラ４０のアングルを変化させてもバウンス照明状態を維持することができる。このため、操作者はカメラ４０のアングルを変えるたびに発光部の傾斜角度を変更する必要がない。
【００２７】
なお、上述の実施の形態において、図８に示すように、横位置撮影から縦位置撮影にカメラ４０のアングルを変化させた場合に、カメラ４０の加速度センサ５２により撮影レンズ６８の光軸廻りの回転角度である光軸傾斜角度を計測し、設定ボタン１６が操作された時に、基準光軸傾斜角度を記憶部３０に記憶するようにしてもよい。そして、更に光軸傾斜角度が変化した場合、ＣＰＵ２４は、上下駆動部１０、及び左右駆動部１４により、本体部６に対して上下方向、及び左右方向に発光部４を回動させ、光軸方向傾斜角度の変化を打ち消す方向に発光部４の向きを変更する。これにより、例えば、横位置撮影から縦位置撮影にカメラ４０のアングルを変化させた場合でも、設定ボタン１６の操作時におけるバウンス照明状態を維持することができる。
【００２８】
また、上述の実施の形態において、カメラ４０の測距機能を用いて照明傾斜角度を調整してもよい。この場合、ＣＰＵ２４は、図示しない測距部により測距された、被写体６０からカメラ４０までの距離に関する情報をカメラ４０から取得する。そして、設定ボタン１６が操作された場合、ＣＰＵ２４は、設定ボタン１６の操作時に取得された距離に関する情報に基づく距離を基準距離として記憶部３０に記憶する。
【００２９】
次に、被写体６０からカメラ４０までの距離が変化した場合、ＣＰＵ２４は、基準距離と現在の被写体からカメラ４０までの距離との距離差分を算出する。更に、上下駆動部１０、及び左右駆動部１４により、距離差分を参照して、設定ボタン１６の操作時の照明方向を照明するように発光部４を回動させる。
【００３０】
また、上述の実施の形態において、加速度センサ５２を照明装置２の本体部６に備えてもよい。この場合、カメラ傾斜角度をカメラ４０から取得することに代えて、本体部６の傾斜角度である本体傾斜角度を計測する。そして、設定ボタン１６が操作されて基準となる基準本体傾斜角度が設定され、後に本体傾斜角度が変化した場合、ＣＰＵ２４は、傾斜角度の変化を打ち消す方向に発光部４の向きを回動させる。
【符号の説明】
【００３１】
２…照明装置、４…発光部、６…本体部、８…上下回動機構、１０…上下駆動部、１２…左右回動機構、１４…左右駆動部、１６…設定ボタン、１９…通信端子、２０…キセノン管、２４…ＣＰＵ、３０…記憶部、３２…計測部、４０…カメラ、５２…加速度センサ
【図１】
2015194576.tif 000003
【図２】
2015194576.tif 000004
【図３】
2015194576.tif 000005
【図４】
2015194576.tif 000006
【図５】
2015194576.tif 000007
【図６】
2015194576.tif 000008
【図７】
2015194576.tif 000009
【図８】
2015194576.tif 000010